(57)【要約】【課題】オイル通路穴に残る切屑量を低減することができるシリンダヘッドの穴加工方法を提供する。【解決手段】一端側が外部に開口するオイル通路穴１２Ｘ、１２Ｙが形成されたシリンダヘッド１００に、オイル通路穴１２Ｘ、１２Ｙと交差し連通する複数のＨＬＡ穴１１Ａ、・・・、１１Ｐを回転工具１５、１６によって加工する穴加工工程Ｓ１００であって、ＨＬＡ穴１１Ａ、・・・、１１Ｐは、オイル通路穴１２Ｘ、１２Ｙの軸線とＨＬＡ穴１１Ａ、・・・、１１Ｐの軸線とがオフセットする位置に形成され、回転工具１５、１６の回転方向がオイル通路穴１２・１２ＹとＨＬＡ穴１１Ａ、・・・、１１Ｐとの交差部にてオイル通路穴１２Ｘ、１２Ｙの一端側に向くように回転工具１５、１６を回転させ、オイル通路穴１２Ｘ、１２Ｙの他端側に形成されるＨＬＡ穴からオイル通路穴１２Ｘ、１２Ｙの一端側に形成されるＨＬＡ穴に向けて順番に加工する。【選択図】図１
2016166586.tif 000002
【特許請求の範囲】
【請求項１】
一端側が外部に開口するオイル通路穴が形成されたシリンダヘッドに、前記オイル通路穴と交差するとともに連通する複数の穴を、回転工具によって加工するシリンダヘッドの穴加工方法であって、
前記穴は、前記オイル通路穴の軸線と前記穴の軸線とがオフセットする位置に形成され、
前記回転工具の回転方向が前記オイル通路穴と前記穴との交差部において該オイル通路穴の一端側に向くように、該回転工具を回転させて、
前記複数の穴を、前記オイル通路穴の他端側に形成される穴から前記オイル通路穴の一端側に形成される穴に向かって順番に加工する、
シリンダヘッドの穴加工方法。
【発明の詳細な説明】
【技術分野】
【０００１】
本発明は、シリンダヘッドの穴加工方法の技術に関する。
【背景技術】
【０００２】
従来、エンジンのシリンダヘッドに形成されるラッシュアジャスター穴（以下、ＨＬＡ穴）は、公知である（例えば、特許文献１）。ＨＬＡ穴は、シリンダヘッドに複数形成され、それぞれのＨＬＡ穴には、ラッシュアジャスターが装着される。
【０００３】
通常、ＨＬＡ穴は、シリンダヘッドに形成されるオイル通路穴と連通している。また、ＨＬＡ穴は、ＨＬＡ穴の軸線とオイル通路穴の軸線とがオフセットする位置で交差してオイル通路穴と連通している。そして、それぞれのＨＬＡ穴は、回転工具によって順番に穴加工されることによって形成されている。
【０００４】
図４乃至図６を用いて、従来のシリンダヘッドの穴加工方法としての、シリンダヘッド１０に複数のＨＬＡ穴１１Ａ、・・・、１１Ｐを回転工具１５によって順番に穴加工する穴加工工程Ｓ２００について説明する。
【０００５】
図４を用いて、シリンダヘッド１００の構成について説明する。
なお、図４（Ａ）は、シリンダヘッド１００の構成を平面視にて模式的に表し、図４（Ｂ）は、図４（Ａ）のＡ２−Ａ２断面視を表している。
【０００６】
なお、以下では、説明を分かり易くするため、図４（Ａ）に示される前側及び後側、左側及び右側に従って説明するものとする。また、図４（Ａ）のシリンダヘッド１００の左右端側に示される矢印及び番号は、詳しくは後述する穴加工工程Ｓ２００でのＨＬＡ穴１１Ａ、・・・、１１Ｐの穴加工順序を表している。
【０００７】
以下では、後述する穴加工工程Ｓ２００によってＨＬＡ穴１１Ａ、・・・、１１Ｐが穴加工されたシリンダヘッド１００について説明する。シリンダヘッド１００には、ＨＬＡ穴１１Ａ、・・・、１１Ｐと、オイル通路穴１２Ｘ、１２Ｙと、が形成されている。
【０００８】
オイル通路穴１２Ｘは、シリンダヘッド１００の右部において略前後方向に沿って形成されている。オイル通路穴１２Ｘは、前端側のみが開口され（開口側１２ＸＳ）、後端側が閉塞されて（閉塞側１２ＸＥ）形成されている。
【０００９】
オイル通路穴１２Ｙは、シリンダヘッド１００の左部において略前後方向に沿って形成されている。オイル通路穴１２Ｙは、前端側のみが開口され（開口側１２ＹＳ）、後端側が閉塞されて（閉塞側１２ＹＥ）形成されている。
【００１０】
ＨＬＡ穴１１Ａ、・・・、１１Ｈは、シリンダヘッド１００の右部に形成されており、後側から前側に向って、ＨＬＡ穴１１Ａから順にオイル通路穴１２Ｘに沿って配置されている。ＨＬＡ穴１１Ａ、・・・、１１Ｈは、それぞれオイル通路穴１２Ｘと交差する方向に形成されている。
【００１１】
オイル通路穴１２Ｘは、ＨＬＡ穴１１Ａ、・・・、１１Ｈと連通している。オイル通路穴１２ＸとＨＬＡ穴１１Ａ、・・・、１１Ｈとは、オイル通路穴１２Ｘの軸心とＨＬＡ穴１１Ａ、・・・、１１Ｈの軸心とがオフセットする位置にて交差し、互いに連通している。ＨＬＡ穴１１Ａ、・・・、１１Ｈの軸心は、オイル通路穴１２Ｘの軸心に対して、左右方向の中央部側へオフセットしている。
【００１２】
ＨＬＡ穴１１Ｉ、・・・、１１Ｐは、シリンダヘッド１００の左部に形成されており、後側から前側に向って、ＨＬＡ穴１１Ｉから順にオイル通路穴１２Ｙに沿って配置されている。ＨＬＡ穴１１Ｉ、・・・、１１Ｐは、それぞれオイル通路穴１２Ｙと交差する方向に形成されている。
【００１３】
オイル通路穴１２Ｙは、ＨＬＡ穴１１Ｉ、・・・、１１Ｐと連通している。オイル通路穴１２ＹとＨＬＡ穴１１Ｉ、・・・、１１Ｐとは、オイル通路穴１２Ｘの軸心とＨＬＡ穴１１Ｉ、・・・、１１Ｐの軸心とがオフセットする位置にて交差し、互いに連通している。ＨＬＡ穴１１Ｉ、・・・、１１Ｐの軸心は、オイル通路穴１２Ｙの軸心に対して、左右方向の中央部側へオフセットしている。
【００１４】
図５を用いて、穴加工工程Ｓ２００の流れについて説明する。
なお、図５では、穴加工工程Ｓ２００の流れをフローチャートによって表している。
【００１５】
穴加工工程Ｓ２００は、シリンダヘッド１００に複数のＨＬＡ穴１１Ａ、・・・、１１Ｐを回転工具１５によって順番に穴加工していく工程である。なお、本実施形態では、オイル通路穴１２Ｘ、１２Ｙは、予めシリンダヘッド１００に加工されているものとする。
【００１６】
ステップＳ２１０では、ＨＬＡ穴１１Ａ、・・・、１１Ｈが穴加工される。このとき、回転工具１５を平面視にて右回り方向に回転駆動し、ＨＬＡ穴１１Ａ、・・・、１１Ｈの順で穴加工を施す。
【００１７】
ステップＳ２２０では、ＨＬＡ穴１１Ｉ、・・・、１１Ｐが穴加工される。このとき、回転工具１５を、ステップＳ２１０にて最後に加工されたＨＬＡ穴１１Ｈの上方から、ＨＬＡ穴１１Ｐの加工位置の上方へ移動させ、回転駆動方向を平面視における右回り方向に維持したまま、ＨＬＡ穴１１Ｐ、・・・、１１Ｉの順で穴加工を施す。
【００１８】
図６を用いて、穴加工工程Ｓ２００の作用について説明する。
なお、図６（Ａ）では、穴加工工程Ｓ２００のステップＳ２１０での作用を平面断面視にて模式的に表している。また、図６（Ｂ）では、穴加工工程Ｓ２００のステップＳ２２０での作用を平面断面視にて模式的に表している。
【００１９】
ステップＳ２１０において、ＨＬＡ穴１１Ａ、・・・、１１Ｈは、回転工具１５の回転駆動方向を平面視にて右回り方向として、ＨＬＡ穴１１Ａ、・・・、１１Ｈの順で穴加工を施すことにより形成される。例えば、図６（Ａ）では、ＨＬＡ穴１１Ｂの穴加工が施されている状態を表している。
【００２０】
このとき、ＨＬＡ穴１１Ｂの軸心は、オイル通路穴１２Ｘの軸心に対して、左右方向の中央部側へオフセットしているため、ＨＬＡ穴１１Ｂは右端部においてオイル通路穴１２Ｘと交差するとともに連通している。そして、回転工具１５は平面視にて右回り方向に回転駆動されており、ＨＬＡ穴１１Ｂのオイル通路穴１２Ｘとの交差部においては、回転工具１５は、オイル通路穴１２Ｘの閉塞側１２ＸＥへ向かって回転することとなる。
【００２１】
そのため、ＨＬＡ穴１１Ｂを加工した際に発生する切屑がオイル通路穴１２Ｘの閉塞側１２ＸＥに向かって排出されることとなり、オイル通路穴１２Ｘの閉塞側１２ＸＥの部分に残留するおそれがある。
【００２２】
ステップＳ２２０において、ＨＬＡ穴１１Ｉ、・・・、１１Ｐは、回転工具１５の回転駆動方向を平面視にて左回り方向として、ＨＬＡ穴１１Ｐ、・・・、１１Ｉの順で穴加工を施すことにより形成される。例えば、図６（Ｂ）では、ＨＬＡ穴１１Ｎの穴加工が施されている状態を表している。
【００２３】
このとき、ＨＬＡ穴１１Ｎの軸心は、オイル通路穴１２Ｙの軸心に対して、左右方向の中央部側へオフセットしているため、ＨＬＡ穴１１Ｎは左端部においてオイル通路穴１２Ｙと交差するとともに連通している。そして、回転工具１５は平面視にて右回り方向に回転駆動されており、ＨＬＡ穴１１Ｎのオイル通路穴１２Ｙとの交差部においては、回転工具１５は、オイル通路穴１２Ｙの開口側１２ＹＳへ向かって回転することとなる。
【００２４】
そのため、ＨＬＡ穴１１Ｎを加工した際に発生する切屑はオイル通路穴１２Ｙの開口側１２ＸＳに向かって排出されることとなる。
【００２５】
しかし、ＨＬＡ穴１１Ｉ、・・・、１１Ｐは、オイル通路穴１２Ｙの開口側１２ＹＳに最も近いＨＬＡ穴１１Ｐから閉塞側１２ＹＥに最も近いＨＬＡ穴１１Ｉに向かって順番に穴加工されるため、オイル通路穴１２Ｙの開口側１２ＹＳに向かって排出された切屑は、オイル通路穴１２Ｙにおける、既にＨＬＡ穴が加工された部分を通過する。
【００２６】
つまり、ＨＬＡ穴１１Ｉ、・・・、１１Ｐの加工に伴って発生した切屑がオイル通路穴１２Ｙに排出されると、オイル通路穴１２Ｙを開口側１２ＹＳへ向かって進行し、既に加工が施されたＨＬＡ穴に達することとなる。
【００２７】
オイル通路穴１２ＹのＨＬＡ穴が加工された箇所を切屑が通過すると、切屑が既に加工されたＨＬＡ穴（図６（Ｂ）では、ＨＬＡ穴１１Ｉ、ＨＬＡ穴１１Ｊ）内に侵入して残留するおそれがある。
【先行技術文献】
【特許文献】
【００２８】
【特許文献１】特開２００５−２６４８１８号公報
【発明の概要】
【発明が解決しようとする課題】
【００２９】
本発明の解決しようとする課題は、オイル通路穴に残る切屑量を低減することができるシリンダヘッドの穴加工方法を提供することである。
【課題を解決するための手段】
【００３０】
本発明の解決しようとする課題は以上の如くであり、次にこの課題を解決するための手段を説明する。
【００３１】
即ち、請求項１においては、一端側が外部に開口するオイル通路穴が形成されたシリンダヘッドに、前記オイル通路穴と交差するとともに連通する複数の穴を、回転工具によって加工するシリンダヘッドの穴加工方法であって、前記穴は、前記オイル通路穴の軸線と前記穴の軸線とがオフセットする位置に形成され、前記回転工具の回転方向が前記オイル通路穴と前記穴との交差部において該オイル通路穴の一端側に向くように、該回転工具を回転させて、前記複数の穴を、前記オイル通路穴の他端側に形成される穴から前記オイル通路穴の一端側に形成される穴に向かって順番に加工するものである。
【発明の効果】
【００３２】
本発明のシリンダヘッドの穴加工方法によれば、オイル通路穴に残る切屑量を低減することができる。
【図面の簡単な説明】
【００３３】
【図１】シリンダヘッドの構成及び穴加工方法の流れを示す模式図。
【図２】穴加工方法の流れを示すフロー図。
【図３】穴加工方法の作用を示す模式図。
【図４】シリンダヘッドの構成及び従来の穴加工方法の流れを示す模式図。
【図５】従来の穴加工方法の流れを示すフロー図。
【図６】従来の穴加工方法の作用を示す模式図。
【発明を実施するための形態】
【００３４】
図１を用いて、シリンダヘッド１００の構成について説明する。
なお、図１（Ａ）は、シリンダヘッド１００の構成を平面視にて模式的に表し、図１（Ｂ）は、図１（Ａ）のＡ１−Ａ１断面視を表している。
【００３５】
なお、以下では、説明を分かり易くするため、図１（Ａ）に示される前側及び後側、左側及び右側に従って説明するものとする。また、図１（Ａ）のシリンダヘッド１００の左右端側に示される矢印及び番号は、後述する穴加工工程Ｓ１００のラッシュアジャスター穴（以下、ＨＬＡ穴）１１Ａ、・・・、１１Ｐの穴加工順序を表している。
【００３６】
また、以下では、後述する穴加工工程Ｓ１００によってＨＬＡ穴１１Ａ、・・・、１１Ｐが穴加工されたシリンダヘッド１００について説明する。
【００３７】
シリンダヘッド１００は、本発明のシリンダヘッドの穴加工方法である穴加工工程Ｓ１００の被加工対象である。シリンダヘッド１００は、シリンダーブロック（図示略）と共にエンジン（図示略）を構成する部品である。シリンダヘッド１００には、ＨＬＡ穴１１Ａ、・・・、１１Ｐと、オイル通路穴１２Ｘ、１２Ｙと、が形成されている。
【００３８】
ＨＬＡ穴１１Ａ、・・・、１１Ｐは、ラッシュアジャスターが設けられる穴である。ラッシュアジャスターは、バルブクリアランスを自動で調整する油圧タペットである。ＨＬＡ穴１１Ａ、・・・、１１Ｐは、略円柱形状のラッシュアジャスターが嵌合するように略円柱形状に形成されている。
【００３９】
各ＨＬＡ穴１１Ａ、・・・、１１Ｐは、略上下方向（紙面の表裏に向かう方向）に形成されており、その上端がシリンダヘッド１００の上面に開口している。
【００４０】
ＨＬＡ穴１１Ａ、・・・、１１Ｈは、軸心が深さ方向へ向かうにつれて左右方向の中央側に向かうように鉛直方向に対して傾斜して形成され、ＨＬＡ穴１１Ｉ、・・・、１１Ｐは、軸心が同じく深さ方向へ向かうにつれて左右方向の中央部に向かうように鉛直方向に対し傾斜して形成されている。
【００４１】
ＨＬＡ穴１１Ａ、・・・、１１Ｈは、シリンダヘッド１００の右部に形成されており、前後方向に沿って一列に配置されている。ＨＬＡ穴１１Ａ、・・・、１１Ｈは、後側から前側に向って、ＨＬＡ穴１１Ａから順に配置されている。
【００４２】
ＨＬＡ穴１１Ｉ、・・・、１１Ｐは、シリンダヘッド１００の左部に形成されており、前後方向に沿って一列に配置されている。ＨＬＡ穴１１Ｉ、・・・、１１Ｐは、後側から前側に向って、ＨＬＡ穴１１Ｉから順に配置されている。
【００４３】
ＨＬＡ穴１１Ａ、・・・、１１Ｈの並列方向と、ＨＬＡ穴１１Ｉ、・・・、１１Ｐの並列方向とは、略平行となっている。
【００４４】
オイル通路穴１２Ｘ、１２Ｙは、ＨＬＡ穴１１Ａ、・・・、１１Ｐに設けられたそれぞれのラッシュアジャスターにポンプ等から圧送されるエンジンオイルを供給する通路である。
【００４５】
オイル通路穴１２Ｘ、１２Ｙは、前後方向に沿って形成されている。オイル通路穴１２Ｘは、シリンダヘッド１００の右部において略前後方向に沿って形成されている。オイル通路穴１２Ｘは、前端側のみが開口され（開口側１２ＸＳ）、後端側が閉塞されて（閉塞側１２ＸＥ）形成されている。
【００４６】
オイル通路穴１２Ｘは、ＨＬＡ穴１１Ａ、・・・、１１Ｈと連通している。オイル通路穴１２ＸとＨＬＡ穴１１Ａ、・・・、１１Ｈとは、オイル通路穴１２Ｘの軸心とＨＬＡ穴１１Ａ、・・・、１１Ｈの軸心とがオフセットする位置にて交差し、互いに連通している。より具体的には、オイル通路穴１２Ｘは、ＨＬＡ穴１１Ａ、・・・、１１Ｈの右側端部において交差するように形成されている。
【００４７】
つまり、ＨＬＡ穴１１Ａ、・・・、１１Ｈは、それぞれオイル通路穴１２Ｘと交差する方向に形成されている。また、ＨＬＡ穴１１Ａ、・・・、１１Ｈの軸心は、オイル通路穴１２Ｘの軸心に対して、左右方向の中央部側へオフセットしている。
【００４８】
オイル通路穴１２Ｘでは、ＨＬＡ穴１１Ａが閉塞側１２ＸＥに最も近い位置でオイル通路穴１２Ｘと連通し、ＨＬＡ穴１１Ｈが開口側１２ＸＳに最も近い位置でオイル通路穴１２Ｘと連通している。
【００４９】
オイル通路穴１２Ｙは、シリンダヘッド１００の左部において略前後方向に沿って形成されている。オイル通路穴１２Ｙは、前端側のみが開口され（開口側１２ＸＹ）、後端側が閉塞されて（閉塞側１２ＹＥ）形成されている。
【００５０】
オイル通路穴１２Ｙは、ＨＬＡ穴１１Ｉ、・・・、１１Ｐと連通している。オイル通路穴１２ＹとＨＬＡ穴１１Ｉ、・・・、１１Ｐとは、オイル通路穴１２Ｘの軸心とＨＬＡ穴１１Ｉ、・・・、１１Ｐの軸心とがオフセットする位置にて交差し、互いに連通している。より具体的には、オイル通路穴１２Ｙは、ＨＬＡ穴１１Ｉ、・・・、１１Ｐの左側端部において交差するように形成されている。
【００５１】
つまり、ＨＬＡ穴１１Ｉ、・・・、１１Ｐは、それぞれオイル通路穴１２Ｙと交差する方向に形成されている。また、ＨＬＡ穴１１Ｉ、・・・、１１Ｐの軸心は、オイル通路穴１２Ｘの軸心に対して、左右方向の中央部側へオフセットしている。
【００５２】
オイル通路穴１２Ｙでは、ＨＬＡ穴１１Ｉが閉塞側１２ＹＥに最も近い位置でオイル通路穴１２Ｘと連通し、ＨＬＡ穴１１Ｐが開口側１２ＹＳに最も近い位置でオイル通路穴１２Ｘと連通している。
【００５３】
回転工具１５、１６は、回転動作によってワークに円柱形状の穴を形成する工具である。本実施形態の回転工具１５、１６は、ＮＣ（Ｎｕｍｅｒｉｃａｌ  Ｃｏｎｔｒｏｌ）装置によって、シリンダヘッド１００上の平面を座標値によって定義し、工作機械に内蔵されたサーボモータを作動させて移動するドリルとしている。回転工具１５、１６は切り替え可能に構成され、回転工具１５が回転駆動方向を右回り方向に設定され、回転工具１６が回転駆動方向を左回り方向に設定されている。
【００５４】
図２を用いて、穴加工工程Ｓ１００の流れについて説明する。
なお、図２では、穴加工工程Ｓ１００の流れをフローチャートによって表している。
【００５５】
穴加工工程Ｓ１００は、本発明のシリンダヘッドの穴加工方法に係る実施形態である。穴加工工程Ｓ１００は、シリンダヘッド１００に複数形成されるＨＬＡ穴１１Ａ、・・・、１１Ｐを回転工具１５、１６によって順番に穴加工していく工程である。なお、本実施形態では、オイル通路穴１２Ｘ、１２Ｙは、予めシリンダヘッド１００に加工されているものとする。
【００５６】
ステップＳ１１０では、ＨＬＡ穴１１Ａ、・・・、１１Ｈが穴加工される。このとき、回転工具１６を平面視にて左回り方向に回転駆動し、ＨＬＡ穴１１Ａ、・・・、１１Ｈの順で穴加工を施す。
【００５７】
言い換えれば、ステップＳ１１０では、回転工具１６の回転方向が、オイル通路穴１２ＸのＨＬＡ穴１１Ａ、・・・、１１Ｈとの交差部に相当する箇所においてオイル通路穴１２Ｘの開口側１２ＸＳを向くように回転工具１６を回転させる。
【００５８】
また、ステップＳ１１０では、オイル通路穴１２Ｘの閉塞側１２ＸＥに最も近いＨＬＡ穴１１Ａから開口側１２ＸＳに最も近いＨＬＡ穴１１Ｈに向かって順番に穴加工を施す。
【００５９】
ステップＳ１２０では、ＨＬＡ穴１１Ｉ、・・・、１１Ｐが穴加工される。このとき、回転工具１５を平面視にて右回り方向に回転駆動し、ＨＬＡ穴１１Ｉ、・・・、１１Ｐの順で穴加工を施す。
【００６０】
言い換えれば、ステップＳ１２０では、回転工具１５の回転方向が、オイル通路穴１２ＹのＨＬＡ穴１１Ｉ、・・・、１１Ｐとの交差部に相当する箇所においてオイル通路穴１２Ｙの開口側１２ＹＳを向くように回転工具１５を回転させる。
【００６１】
また、ステップＳ１２０では、オイル通路穴１２Ｘの閉塞側１２ＹＥに最も近いＨＬＡ穴１１Ｉから開口側１２ＹＳに最も近いＨＬＡ穴１１Ｐに向かって順番に穴加工を施す。
【００６２】
図３を用いて、穴加工工程Ｓ１００の作用について説明する。
なお、図３（Ａ）では、穴加工工程Ｓ１００のステップＳ１１０での作用を平面断面視にて模式的に表している。また、図３（Ｂ）では、穴加工工程Ｓ１００のステップＳ１２０での作用を平面断面視にて模式的に表している。
【００６３】
ステップＳ１１０において、ＨＬＡ穴１１Ａ、・・・、１１Ｈは、回転工具１６を平面視にて左回り方向に回転駆動して、ＨＬＡ穴１１Ａ、・・・、１１Ｈの順で穴加工が施される。例えば、図３（Ａ）では、ＨＬＡ穴１１Ｂの穴加工が施されている状態を表している。
【００６４】
このとき、ＨＬＡ穴１１Ｂは、ＨＬＡ穴１１Ｂの軸心が、オイル通路穴１２Ｘの軸心に対して、左右方向の中央部側へオフセットする位置に加工されるため、ＨＬＡ穴１１Ｂは右端部においてオイル通路穴１２Ｘと交差するとともに連通している。そして、回転工具１６は平面視にて左回り方向に回転駆動されており、ＨＬＡ穴１１Ｂのオイル通路穴１２Ｘとの交差部においては、回転工具１６は、オイル通路穴１２Ｘの開口側１２ＸＳへ向かって回転することとなる。
【００６５】
従って、ＨＬＡ穴１１Ｂを加工した際に発生する切屑はオイル通路穴１２Ｘの開口側１２ＸＳに向かって排出される。
【００６６】
そのため、ＨＬＡ穴１１Ｂを加工した際に発生する切屑がオイル通路穴１２Ｘの閉塞側１２ＸＥに向かって排出され、オイル通路穴１２Ｘの閉塞側１２ＸＥにて残留することはない。
【００６７】
また、ステップＳ１１０においては、オイル通路穴１２Ｘの閉塞側１２ＸＥに最も近いＨＬＡ穴１１Ａから開口側１２ＸＳに最も近いＨＬＡ穴１１Ｈに向かって順番に穴加工されるため、オイル通路穴１２Ｘの開口側１２ＸＳに向かって排出された切屑は、ＨＬＡ穴が未加工のオイル通路穴１２Ｘを通過することになり、排出された切屑が既に加工されたＨＬＡ穴に残留することはない。
【００６８】
ステップＳ１２０において、ＨＬＡ穴１１Ｉ、・・・、１１Ｐは、回転工具１５を平面視にて右回り方向に回転駆動して、ＨＬＡ穴１１Ｉ、・・・、１１Ｐの順で穴加工が施される。例えば、図３（Ｂ）では、ＨＬＡ穴１１Ｎの穴加工が施されている状態を表している。
【００６９】
このとき、ＨＬＡ穴１１Ｎは、ＨＬＡ穴１１Ｎの軸心が、オイル通路穴１２Ｙの軸心に対して、左右方向の中央部側へオフセットする位置に加工されるため、ＨＬＡ穴１１Ｎは左端部においてオイル通路穴１２Ｙと交差するとともに連通している。そして、回転工具１５は平面視にて右回り方向に回転駆動されており、ＨＬＡ穴１１Ｎのオイル通路穴１２Ｙとの交差部においては、回転工具１５は、オイル通路穴１２Ｙの開口側１２ＹＳへ向かって回転することとなる。
【００７０】
従って、ＨＬＡ穴１１Ｎを加工した際に発生する切屑はオイル通路穴１２Ｙの開口側１２ＸＳに向かって排出される。
【００７１】
そのため、ＨＬＡ穴１１Ｎを加工した際に発生する切屑が、オイル通路穴１２Ｙの閉塞側１２ＹＥに向かって排出され、オイル通路穴１２Ｘの閉塞側１２ＹＥにて残留することはない。
【００７２】
また、ステップＳ１２０においては、オイル通路穴１２Ｙの閉塞側１２ＹＥに最も近いＨＬＡ穴１１Ｉから開口側１２ＹＳに最も近いＨＬＡ穴１１Ｐに向かって順番に穴加工されるため、オイル通路穴１２Ｙの開口側１２ＹＳに向かって排出された切屑は、ＨＬＡ穴が未加工のオイル通路穴１２Ｙを通過することになり、排出された切屑が既に加工されたＨＬＡ穴に残留することはない。
【００７３】
穴加工工程Ｓ１００の効果について説明する。
穴加工工程Ｓ１００によれば、オイル通路穴１２Ｘ、１２Ｙに残る切屑量を低減することができる。
【００７４】
すなわち、穴加工工程Ｓ１００によれば、オイル通路穴１２Ｘ、１２ＹとＨＬＡ穴１１Ａ、・・・、１１Ｐとの交差部における回転工具１５、１６の回転方向が、オイル通路穴１２Ｘ、１２Ｙの開口側１２ＸＳ、１２ＹＳを向くように回転工具１５、１６を回転させることで、ＨＬＡ穴１１Ａ、・・・、１１Ｐを穴加工する際に発生する切屑が、オイル通路穴１２Ｘ、１２Ｙの開口側１２ＸＳ、１２ＹＳへ向かって排出され易くなるため、オイル通路穴１２Ｘ、１２Ｙに残る切屑量を低減することができる。
【００７５】
また、穴加工工程Ｓ１００によれば、オイル通路穴１２Ｘ、１２Ｙの閉塞側１２ＸＥ、１２ＹＥに最も近いＨＬＡ穴１１Ａ、１１Ｉから開口側１２ＸＳ、１２ＹＳに最も近いＨＬＡ穴１１Ｈ、１１Ｐに向かって順番に穴加工するため、排出された切屑が既に加工されたＨＬＡ穴に残留することを防止し、オイル通路穴１２Ｘ、１２Ｙに残る切屑量を低減することができる。
【符号の説明】
【００７６】
１１Ａ、・・・、１１Ｐ  ラッシュアジャスター穴（ＨＬＡ穴）
１２Ｘ                オイル通路穴
１２ＸＳ              開口側
１２ＸＥ              閉塞側
１２Ｘ                オイル通路穴
１２ＸＳ              開口側
１２ＸＥ              閉塞側
１５                  回転工具（右回り）
１６                  回転工具（左回り）
Ｓ１００              穴加工工程（シリンダヘッドの穴加工方法）
Ｓ２００              穴加工工程（シリンダヘッドの従来の穴加工方法）
【図１】
2016166586.tif 000003
【図２】
2016166586.tif 000004
【図３】
2016166586.tif 000005
【図４】
2016166586.tif 000006
【図５】
2016166586.tif 000007
【図６】
2016166586.tif 000008